(57)【要約】【課題】作業性、安全性及び経済性に優れるエレベータの設置方法を提供する。【解決手段】建造物に設けられたエレベータの昇降路内に垂直線を出す（芯出しする）ためのピアノ線を昇降路の上方から垂らして張り、このピアノ線を基準にして本線レール及びカウンターレールを立設した後、かごとつり合い重りをロープで吊り下げるエレベータの設置方法において、前記昇降路に開口する最上階の出入口からその開口縁に取り付けたピアノ線吊下用位置決め治具を用いて出入口用ピアノ線を所望位置に垂らすようにし、また前記昇降路の最下部ピットにおいて本設のかご枠を組み立てて前記出入口用ピアノ線を基準にしてこれの位置決めをした後、この本設のかご枠を立体ゲージとしてこれに取り付けたレール立設用位置決め治具を用いて本線レール及びカウンターレールを所望位置に立設することを特徴とするエレベータの設置方法。【選択図】　　　　図４
2004026429.tif 000002
【特許請求の範囲】
【請求項１】
建造物に設けられたエレベータの昇降路内に垂直線を出す（芯出しする）ためのピアノ線を昇降路の上方から垂らして張り、このピアノ線を基準にして本線レール及びカウンターレールを立設した後、かごとつり合い重りをロープで吊り下げるエレベータの設置方法において、
前記昇降路に開口する最上階の出入口からその開口縁に取り付けたピアノ線吊下用位置決め治具を用いて出入口用ピアノ線を所望位置に垂らすようにし、また前記昇降路の最下部ピットにおいて本設のかご枠を組み立てて前記出入口用ピアノ線を基準にしてこれの位置決めをした後、この本設のかご枠を立体ゲージとしてこれに取り付けたレール立設用位置決め治具を用いて本線レール及びカウンターレールを所望位置に立設することを特徴とするエレベータの設置方法。
【請求項２】
出入口の位置に停止させた本設のかご枠を立体ゲージとしてこれに取り付けたシール取付用位置決め治具を用いて出入口枠のシールを所望位置に取り付けることを特徴とする請求項１記載のエレベータの設置方法。
【発明の詳細な説明】
【０００１】
【発明の属する技術分野】
この発明は、建造物に設けられたエレベータの昇降路内にエレベータを設置するエレベータの設置方法に関するものである。
【０００２】
【従来の技術】
従来のこの種のエレベータの設置方法は、建造物に設けられたエレベータの昇降路内に垂直線を出す（芯出しする）ためのピアノ線を昇降路の上方から垂らして張り、このピアノ線を基準にして本線レール及びカウンターレールを立設した後、かごとつり合い重りをロープで吊り下げるが、その設置工事の手順を説明する。なお、かかるエレベータの設置工事は当業者において一般に広く実施されているものであるので、図示を省略する。
【０００３】
（１）エレベータの昇降路に開口する最上階の出入口に、スライド足場を設置する。
（２）このスライド足場を使って、昇降路の天井に吊り元を取り付ける。なお、この吊り元は、建造物によっては建築の段階で予め取り付けられている場合がある。
（３）この吊り元（通常は２個）からロープを２本垂らす。
（４）昇降路の最下部ピットで作業用ゴンドラ（ワインダーなどにより自走する）を組み立て、前記ロープにより吊り下げる。
（５）スライド足場を取り除く。
【０００４】
（６）作業用ゴンドラを上昇させて、昇降路の天井近くにテンプレートを取り付ける。
（７）このテンプレートから、必要本数のピアノ線（一般的に出入口用として４本、本線レール用及びカウンターレール用として各２本）を垂らし、昇降路の最下部ピットとの間にそれぞれ張って所望位置に垂直線を出す（芯出しする）ようにしておく。
【０００５】
（８）作業用ゴンドラから作業をして、昇降路の最下部ピット側から本線レール及びカウンターレールを立設して固定すると共に、順次昇降路の上方まで積み上げてゆき立設固定する。その際、レールゲージを用いて各ピアノ線を基準にしてレール間の距離やレールの向きを芯出ししながら立設固定してゆく。
（９）各階の出入口においては、その付近に作業用ゴンドラを停止させてこの作業用ゴンドラから出入口用ピアノ線を基準にして出入口枠のシールを取り付ける。このシールを基準にして出入口枠を完成させる。
【０００６】
（１０）各階の出入口にあるスイッチ結線などの電気配線を行う。
（１１）作業用ゴンドラ上でつり合い重りを組み立てた後、カウンターレールに取り付ける。
（１２）作業用ゴンドラを解体する。
（１３）昇降路の最下部ピットでかご枠を組み立てた後、前記解体時に作業用ゴンドラから外したロープの一端をこのかご枠に接続すると共にロープの他端はつり合い重りに接続しておく。
（１４）その際、ロープを本設の巻上機で駆動できるようにして、かご枠を最上階近くまで吊り上げた状態で設置を完了する。
【０００７】
【発明が解決しようとする課題】
従来のこの種のエレベータの設置方法では、
（１）作業用ゴンドラを使って設置工事をするので、作業用ゴンドラに揺れや傾きがあり、簡易な落下停止機構しかないこともあって、極めて安全性が低い、
（２）また、ピアノ線の吊り下げにテンプレートを使うので、テンプレートでの芯出しに時間と手間が掛かるのみならず、芯出しの品質向上には熟練した手腕が必要になる、
（３）さらに、作業用ゴンドラを要するので、設置工事費がアップする、
という種種なる問題点がある。
【０００８】
【課題を解決するための手段】
請求項１の発明に係るエレベータの設置方法はかかる問題点を解消するためになされたもので、
（１）作業用ゴンドラを使わず、本設のかご枠を立体ゲージとして用いて設置工事ができるので、かご枠には本設であることから当然の如く落下停止機構があって、高い安全性が得られると共に、同様に本設のかご枠には揺れや傾きもないので作業がし易くなるし、
（２）また、テンプレートを使わず、よってテンプレートによるピアノ線の芯出しもないので、それらに要していた時間と手間がなくなると共に、熟練工でなくても新人工であっても高い芯出し精度が得られるし、
（３）さらに、作業用ゴンドラを要しないので、設置工事費が大幅に削減できる。
【０００９】
請求項２の発明に係るエレベータの設置方法は、本設のかご枠を立体ゲージとして出入口にシール取付用位置決め治具により出入口枠のシールを取り付けるので、従来のように出入口用ピアノ線を基準にして出入口枠のシールを取り付ける場合に比べてその取り付けがはるかに簡単になりしかも取付精度が高く、そのために熟練工でなくても新人工であっても高い取付精度が得られると共に大幅な作業時間の短縮が図れる。
【００１０】
【発明の実施の形態】
この発明の一実施の形態を図１〜図７について説明する。
図１はエレベータの設置工事を行う前のエレベータの昇降路の状況を示す縦断側面図である。図１において、１は建造物２に設けられたエレベータの昇降路、３は昇降路１に開口する各階の出入口、４は昇降路１内に残っている仮設の足場枠、５は昇降路１の天井６に設けられた吊り元で、建築の段階から予め設けられている。
【００１１】
図２はピアノ線吊下用位置決め治具により出入口用ピアノ線を垂らして張った状態を示す縦断側面図である。図２において、７は足場枠４の解体前にこの足場枠４を使って吊り元５から垂らしたロープ（本設のロープ）、９は最上階の出入口３の開口縁に着脱可能に取り付けたピアノ線吊下用位置決め治具、１０はピアノ線吊下用位置決め治具９のバー、１１はバー１０から垂らした出入口用ピアノ線、１２は昇降路１の最下部ピット１３にあって出入口用ピアノ線１１を張るための重りである。
【００１２】
図３は図２の矢印イからみた一部を示す図である。図３に示すようにピアノ線吊下用位置決め治具９のバー１０には、４本の出入口用ピアノ線１１をそれぞれ所望位置に固定してあると共に、その固定位置はそれぞれバー１０に沿って芯出し調節できるように移行可能状態になっている。
【００１３】
図４は本設のかご枠を組み立てそのワインダーにロープを接続した状態を示す縦断側面図である。図４において、１４は昇降路１の最下部ピット１３で組み立てた本設のかご枠、１５は本設のかご枠１４の上梁１４ａに設置したワインダーで、これによりロープ７を駆動して本設のかご枠１４を昇降させる。
【００１４】
図５は図４中ロ−ロに沿う断面図である。図５において、１６は本設のかご枠１４の上梁１４ａに取り付けたレール立設用位置決め治具で、２本の本線レール１７用のローラガイドの芯出しジグ１６ａと２本のカウンターレール１８用のローラガイドの芯出しジグ１６ｂとからなっている。即ち、このレール立設用位置決め治具１６により位置決めされたところに２本の本線レール１７及び２本のカウンターレール１８をそれぞれ立設すれば、すぐさま各レールの位置は勿論、各レール間の距離やレールの向きも決まるようになっているので、後はその位置に各レールを固定すれば良い。
【００１５】
図６は図５に出入口枠のシール及びシール取付用位置決め治具を加えた同断面図である。図６において、１９は本設のかご枠１４に取り付けたシール取付用位置決め治具、２０はシール取付用位置決め治具１９により位置決めして出入口３の下方側に取り付けた出入口枠のシールである。
【００１６】
図７は図６の一部縦断側面図である。なお、各図において同一または相当部分には同一符号を付してある。また、各図において、本実施の形態を説明するのに不要と思われる構成、例えエレベータ機能に当然必要である構成であっても図示を省略すると共に説明も省略している。
【００１７】
次に、本エレベータの設置方法を工事手順に沿って説明する。
（１）本設置工事の前に、即ち図１に示すようにエレベータの昇降路１内に仮設の足場枠４がある段階で、その天井６の吊り元５に図２に示すようにロープ７（本設のロープ）を垂らしておく。なお、すでに仮設の足場枠４がない場合には、特殊なフック取付治具を使うか、従来のようにスライド足場を使って、吊り元５にロープ７を吊り下げる。
【００１８】
（２）そして、本設置工事として、はじめに、最上階の出入口３の開口縁に図２に示すようにピアノ線吊下用位置決め治具９を取り付ける。このピアノ線吊下用位置決め治具９の取り付け部分は二股状に構成されている。
（３）このピアノ線吊下用位置決め治具９のバー１０に、図３に示すように４本の出入口用ピアノ線１１を位置決め芯出ししてそれぞれ垂らしておく。
（４）吊り下げられた４本の出入口用ピアノ線１１を図２に示すように重り１２によりそれぞれ張って、垂直線となるようにしておく。
【００１９】
（５）次に、昇降路１の最下部ピット１３で本設のかご枠１４を、図４に示すように組み立てた後、この本設のかご枠１４上のワインダー１５にロープ７を接続して、このワインダー１５により本設のかご枠１４が昇降するようにしておく。
（６）そして、本設のかご枠１４を、図５に示すように４本の出入口用ピアノ線１１に合わせてこの出入口用ピアノ線１１を基準にして位置決めし、正しい向きにして置く。
（７）こうした状態の本設のかご枠１４は、出入口３に対して正しく芯出しされているので、この本設のかご枠１４を立体ゲージにしてレール立設用位置決め治具１６により２本の本線レール１７及び２本のカウンターレール１８が芯出しされるので、各レール１７，１８をそのまま立設固定する。
（８）各レール１７，１８の長さは５ｍ位なので、次いで本設のかご枠１４を上昇させて、上記（７）を繰り返しながら各レール１７，１８を継ぎ足してゆき、各レール１７，１８を昇降路１の上方まで立設固定する。
【００２０】
（９）こうして、各レール１７，１８の立設固定が終わると、各階の出入口３の位置に本設のかご枠１４を停止させ、図６，図７に示すように出入口３の下方側にシール取付用位置決め治具１９により出入口枠のシール２０を取り付ける。このシール２０は、本設のかご枠１４を立体ゲージにして両シール取付用位置決め治具１９により位置決め、芯出しされているので、このシール２０を基準にしてヘッダーケースなどを取り付けて出入口枠を組み立てれば良い。
【００２１】
（１０）各階の出入口３にあるスイッチ結線などの電気配線を行った後、本設のかご枠１４上でつり合い重り（図示せず）を組み立てる。
（１１）そして、本設のかご枠１４を停止させて、そのワインダー１５から外したロープ７端をつり合い重りに接続すると共に、このロープ７を本設の巻上機（図示せず）に連繋してこの巻上機により本設のかご枠１４が昇降されるようにして、設置を完了する。
【００２２】
以上の説明では本設のかご枠１４上のワインダー１５によりロープ７を駆動して本設のかご枠１４を昇降させるものを示したが、例えば図１において吊り元５にロープ７を垂らす際に、同時にこの天井６近くに本設の巻上機などの駆動機構を設置して、この本設の巻上機によりロープ７を駆動して本設のかご枠１４を昇降させるようにしても良いし、その両用としても良い。
【００２３】
また、以上の説明では吊り元５が昇降路１の天井６に予め設けられたものを示したが、吊り元５が予め設けられていない場合には、例えば図１の仮設の足場枠４を利用したり、従来のようにスライド足場を使って、吊り元５を天井６に取り付けるようにすれば良い。
【００２４】
上記実施の形態ではピアノ線吊下用位置決め治具９を出入口３の開口縁上部に取り付けるものを示したが、出入口３の開口両側縁に取付スペースがあれば、開口縁上部でなくてもこの開口両側縁にピアノ線吊下用位置決め治具９を取り付けるようにしても良い。この場合、現場状況に合わせた施工が可能になる。
【００２５】
また、上記実施の形態では、ピアノ線吊下用位置決め治具９の構成はバー１０上において４本の出入口用ピアノ線１１の位置を調節しながら位置決め芯出しができればよいので、またレール立設用位置決め治具１６の構成は本設のかご枠１４に対して各レール１７，１８の位置決めができればよいので、さらにシール取付用位置決め治具１９の構成は出入口３に対して出入口用ピアノ線１１を基準にしてシール２０の位置決めができればよいので、いずれもその詳しい構成の説明を省略する。
【００２６】
【発明の効果】
以上のように、請求項１の発明によれば、
（１）作業用ゴンドラを使わず、本設のかご枠を立体ゲージとして用いて設置工事ができるので、かご枠には本設であることから当然の如く落下停止機構があって、高い安全性が得られると共に、同様に本設のかご枠には揺れや傾きもないので作業がし易くなるし、さらに本設のかご枠を立体ゲージとして用いて本線レール及びカウンターレールが立設できるので、両レールの立設が生命線であるエレベータ設置における両レールの立設工事が、熟練工でなくても新人工であっても簡単にしかも精度良く位置決め立設できる、
（２）また、テンプレートを使わず、よってテンプレートによるピアノ線の芯出しもないので、それらに要していた時間と手間がなくなると共に、熟練工でなくても新人工であっても高い芯出し精度が得られる、
（３）さらに、作業用ゴンドラを要しないので、設置工事費が大幅に削減できる、
という効果が得られる。
【００２７】
請求項２の発明によれば本設のかご枠を立体ゲージとして出入口にシール取付用位置決め治具により出入口枠のシールを取り付けるので、従来のように出入口用ピアノ線を基準にして出入口枠のシールを取り付ける場合に比べてその取り付けがはるかに簡単になりしかも取付精度が高く、そのために熟練工でなくても新人工であっても高い取付精度が得られると共に大幅な作業時間の短縮が図れるという効果が得られる。
【図面の簡単な説明】
【図１】この発明の一実施の形態を示すものでかつエレベータの設置工事を行う前のエレベータの昇降路の状況を示す縦断側面図である。
【図２】図１からピアノ線吊下用位置決め治具により出入口用ピアノ線を垂らして張った状態を示す縦断側面図である。
【図３】図２の矢印イからみた一部を示す図である。
【図４】図２から本設のかご枠を組み立てそのワインダーにロープを接続した状態を示す縦断側面図である。
【図５】図４中ロ−ロに沿う断面図である。
【図６】図５に出入口枠のシール及びシール取付用位置決め治具を加えた同断面図である。
【図７】図６の一部縦断側面図である。
【符号の説明】
１　　　昇降路
２　　　建造物
３　　　出入口
４　　　仮設の足場枠
５　　　吊り元
７　　　ロープ
９　　　ピアノ線吊下用位置決め治具
１０　　バー
１１　　出入口用ピアノ線
１３　　最下部ピット
１４　　かご枠
１４ａ　上梁
１５　　ワインダー
１６　　レール立設用位置決め治具
１６ａ　芯出しジグ
１６ｂ　芯出しジグ
１７　　本線レール
１８　　カウンターレール
１９　　シール取付用位置決め治具
２０　　シール
【図１】
2004026429.tif 000003
【図２】
2004026429.tif 000004
【図３】
2004026429.tif 000005
【図４】
2004026429.tif 000006
【図５】
2004026429.tif 000007
【図６】
2004026429.tif 000008
【図７】
2004026429.tif 000009